(57)【要約】【課題】非電源方式の情報担体に対してより大きな電源供給を可能とする。【解決手段】ＲＦＩＤリーダライタは、コマンド信号を発生する送信部と、第１アンテナを通してそのコマンド信号をＲＦＩＤタグに送信し、前記第１アンテナを通して特定のＲＦＩＤタグから返信されてきた応答信号を受信する受信部と、第２アンテナを通して給電波信号をＲＦＩＤタグに送信する電力送信部と、コマンド信号が発生してから終了するまでの期間を経過した後に前記電力送信部から給電波信号を発生させる第１制御手段とを備えたものである。【選択図】図２
2007164801.tif 000002
【特許請求の範囲】
【請求項１】
コマンド信号を発生する送信部と、第１アンテナを通してそのコマンド信号をＲＦＩＤタグに送信し、前記第１アンテナを通して特定のＲＦＩＤタグから返信されてきた応答信号を受信する受信部と、第２アンテナを通して給電波信号をＲＦＩＤタグに送信する電力送信部と、コマンド信号が発生してから終了するまでの期間を経過した後に前記電力送信部から給電波信号を発生させる第１制御手段とを備えたＲＦＩＤリーダライタ。
【請求項２】
コマンド信号により第１周波数を変調し、その変調したコマンド信号を含む送信信号を発生する送信部と、第１アンテナを通してその送信信号をＲＦＩＤタグに送信し、特定のＲＦＩＤタグから返信されてきた応答信号を受信して復調する受信部と、第２アンテナを通して第２周波数の給電波信号をＲＦＩＤタグに送信する電力送信部と、前記送信部及び前記電力送信部にそれぞれコマンド制御信号及び給電波制御信号を供給し、コマンド信号が発生してから終了するまでの期間を経過した後に前記電力送信部から給電波信号を発生させる第１制御手段とを備えたＲＦＩＤリーダライタ。
【請求項３】
コマンド信号を含む送信信号をＲＦＩＤタグに第１アンテナを通して送信し、前記第１アンテナを通して特定のＲＦＩＤタグから返信されてきた応答信号を受信してその応答信号をネットワークに供給し、コマンド信号の発生前及びそのコマンド信号が発生してから終了するまでの期間を経過した後に、第２アンテナを通して給電波信号をＲＦＩＤタグに送信するように制御する第１制御手段を備えたＲＦＩＤリーダライタ。
【請求項４】
ＲＦＩＤリーダライタからＲＦＩＤタグに第１アンテナを通してコマンド信号を送信して前記第１アンテナを通して特定のＲＦＩＤタグの応答信号を受信し、これをネットワークに供給し、前記ＲＦＩＤリーダライタからＲＦＩＤタグに第２アンテナを通して給電波信号を送信するに際して、コマンド信号が発生してから終了するまでの期間を経過した後に給電波信号を発生するＲＦＩＤリーダライタを用いた通信方法。
【請求項５】
第３アンテナを通してＲＦＩＤリーダライタの第１アンテナから送信されてきたコマンド信号を受信して復調する受信部と、前記ＲＦＩＤリーダライタの第２アンテナからコマンド信号が発生してから終了するまでの期間を経過した後に発生した給電波信号が送信され、第４アンテナを通してその給電波信号を受信する給電波受信部と、前記受信部から復調されたコマンド信号が供給され、前記第３アンテナを通して自己の特定により記憶した応答信号を返信し、その応答信号の開始前から前記給電波受信部によりその応答信号の送信のために充電する第２制御手段とを備えたＲＦＩＤタグ。
【請求項６】
第３アンテナを通してＲＦＩＤリーダライタの第１アンテナから送信されてきたコマンド信号とこれに続く搬送波信号を受信する受信部と、前記ＲＦＩＤリーダライタの第２アンテナからコマンド信号が発生してから終了するまでの期間を経過した後であって搬送波信号の発生期間に発生した給電波信号が送信され、第４アンテナを通してその給電波信号を受信する給電波受信部と、前記受信部から復調されたコマンド信号が供給され、前記第３アンテナを通して自己の特定により前記第１アンテナを通して送信されてきた搬送波信号に基づいて応答信号を返信し、その応答信号の開始前から前記給電波受信部により充電するように制御する第２制御手段とを備えたＲＦＩＤタグ。
【請求項７】
ＲＦＩＤリーダライタの第１アンテナ及び第２アンテナを通してそれぞれコマンド信号及びそのコマンド信号に先行する先行給電波信号が送信され、その先行給電波信号を第４アンテナを通して受信して充電電圧を発生し、この充電電圧によりそのコマンド信号に基く応答信号を生成し、前記ＲＦＩＤリーダライタの前記第２アンテナを通してコマンド信号が発生してから終了するまでの期間を経過した後に発生する後行給電波信号が送信され、
その後行給電波信号を第４アンテナを通して受信して、応答信号の生成後における充電電圧を大きくするようにして、その充電電圧により第３アンテナを通して応答信号を前記ＲＦＩＤリーダライタに送信するようにしたＲＦＩＤタグを用いた通信方法。
【発明の詳細な説明】
【技術分野】
【０００１】
この発明は、ＲＦＩＤ（Ｒａｄｉｏ  Ｆｒｅｑｕｎｃｙ  Ｉｄｅｎｔｉｆｉｃａｔｏｉｎ  Ｓｙｓｔｅｍ）リーダライタ及びＲＦＩＤタグ並びにこれらを用いた通信方法（以下、単に、「ＲＦＩＤシステム」ともいう。）に関するものである。
【背景技術】
【０００２】
この種のＲＦＩＤシステムは、照合端末（ＲＦＩＤリーダライタ）と情報担体（ＲＦＩＤタグ）を含み、照合端末から情報担体に向けて照合信号を送信し、情報担体がこの照合信号に応じて応答信号を照合端末へ向けて返信する。照合信号はコマンド信号とそれに続く搬送波信号を含む。コマンド信号は特定の情報担体を指定し、この指定された情報担体がその記憶情報により搬送波信号を変調した応答信号を照合端末に返信し、照合端末はこの応答信号に基づき、特定の情報担体の記憶情報を得ることができる。
【０００３】
特開平９−１８３８１号公報にＲＦＩＤシステムが開示されている。このＲＦＩＤシステムでは、読取装置と呼ばれる照合端末と、識別タグと呼ばれる情報担体が使用される。読取装置は、識別タグに向けて質問電波と呼ばれる照合信号を送信する。識別タグは、非電源方式の非接触識別タグであり、質問電波を電力に変換して制御回路に供給する。識別タグは質問電波からクロック信号を生成し、制御回路は識別情報を出力する。識別タグの送信回路は、質問電波を搬送波とし、これに識別情報を多重化することにより、応答電波と呼ばれる応答信号を読取装置に送信する。
【０００４】
また、前記先行技術の段落［００１４］には、読取装置から送出する質問電波を、電源用の第１周波数の質問電波と、信号通信用の第２周波数の質問電波を二種類とすることも開示されている。この質問電波を電源用の第１周波数の質問電波と、信号通信用の第２周波数の質問電波を二種類とするものは、電源用の第１周波数の質問電波と信号通信用の第２周波数の質問電波を分離するので、非電源方式の識別タグに、より大きな電源用の電力を供給するのに有効であると考えられる。
【０００５】
【特許文献１】特開平９−１８３８１号公報、特に、段落［００１４］
【発明の開示】
【発明が解決しようとする課題】
【０００６】
しかし、非電源方式の情報担体に充分な電源を送信するには、質問電波を二種類とするだけでは、まだ充分とはいえない。
【０００７】
この発明は、非電源方式の情報担体に対して、より大きな電源を供給できるように改良されたＲＦＩＤリーダライタ及びＲＦＩＤタグ並びにこれらを用いた通信方法を提案するものである。
【課題を解決するための手段】
【０００８】
請求項１に係るＲＦＩＤリーダライタは、コマンド信号を発生する送信部と、第１アンテナを通してそのコマンド信号をＲＦＩＤタグに送信し、前記第１アンテナを通して特定のＲＦＩＤタグから返信されてきた応答信号を受信する受信部と、第２アンテナを通して給電波信号をＲＦＩＤタグに送信する電力送信部と、コマンド信号が発生してから終了するまでの期間を経過した後に前記電力送信部から給電波信号を発生させる第１制御手段とを備えたものである。
【０００９】
請求項２に係るＲＦＩＤリーダライタは、コマンド信号により第１周波数を変調し、その変調したコマンド信号を含む送信信号を発生する送信部と、第１アンテナを通してその送信信号をＲＦＩＤタグに送信し、特定のＲＦＩＤタグから返信されてきた応答信号を受信して復調する受信部と、第２アンテナを通して第２周波数の給電波信号をＲＦＩＤタグに送信する電力送信部と、前記送信部及び前記電力送信部にそれぞれコマンド制御信号及び給電波制御信号を供給し、コマンド信号が発生してから終了するまでの期間を経過した後に前記電力送信部から給電波信号を発生させる第１制御手段とを備えたものである。
【００１０】
請求項３に係るＲＦＩＤリーダライタは、コマンド信号を含む送信信号をＲＦＩＤタグに第１アンテナを通して送信し、前記第１アンテナを通して特定のＲＦＩＤタグから返信されてきた応答信号を受信してその応答信号をネットワークに供給し、コマンド信号の発生前及びそのコマンド信号が発生してから終了するまでの期間を経過した後に、第２アンテナを通して給電波信号をＲＦＩＤタグに送信するように制御する第１制御手段を備えたものである。
【００１１】
請求項４に係るＲＦＩＤリーダライタを用いた通信方法は、ＲＦＩＤリーダライタからＲＦＩＤタグに第１アンテナを通してコマンド信号を送信して前記第１アンテナを通して特定のＲＦＩＤタグの応答信号を受信し、これをネットワークに供給し、前記ＲＦＩＤリーダライタからＲＦＩＤタグに第２アンテナを通して給電波信号を送信するに際して、コマンド信号が発生してから終了するまでの期間を経過した後に給電波信号を発生するものである。
【００１２】
請求項５に係るＲＦＩＤタグは、第３アンテナを通してＲＦＩＤリーダライタの第１アンテナから送信されてきたコマンド信号を受信して復調する受信部と、前記ＲＦＩＤリーダライタの第２アンテナからコマンド信号が発生してから終了するまでの期間を経過した後に発生した給電波信号が送信され、第４アンテナを通してその給電波信号を受信する給電波受信部と、前記受信部から復調されたコマンド信号が供給され、前記第３アンテナを通して自己の特定により記憶した応答信号を返信し、その応答信号の開始前から前記給電波受信部によりその応答信号の送信のために充電する第２制御手段とを備えたものである。
【００１３】
請求項６に係るＲＦＩＤタグは、第３アンテナを通してＲＦＩＤリーダライタの第１アンテナから送信されてきたコマンド信号とこれに続く搬送波信号を受信する受信部と、前記ＲＦＩＤリーダライタの第２アンテナからコマンド信号が発生してから終了するまでの期間を経過した後であって搬送波信号の発生期間に発生した給電波信号が送信され、第４アンテナを通してその給電波信号を受信する給電波受信部と、前記受信部から復調されたコマンド信号が供給され、前記第３アンテナを通して自己の特定により前記第１アンテナを通して送信されてきた搬送波信号に基づいて応答信号を返信し、その応答信号の開始前から前記給電波受信部により充電するように制御する第２制御手段とを備えたものである。
【００１４】
請求項７に係るＲＦＩＤタグを用いた通信方法は、ＲＦＩＤリーダライタの第１アンテナ及び第２アンテナを通してそれぞれコマンド信号及びそのコマンド信号に先行する先行給電波信号が送信され、第４アンテナを通してその先行給電波信号を受信して充電電圧を発生し、この充電電圧によりそのコマンド信号に基く応答信号を生成し、前記ＲＦＩＤリーダライタの前記第２アンテナを通してコマンド信号が発生してから終了するまでの期間を経過した後に発生する後行給電波信号が送信され、その後行給電波信号を第４アンテナを通して受信して、応答信号の生成後における充電電圧を大きくするようにして、その充電電圧により第３アンテナを通して応答信号を前記ＲＦＩＤリーダライタに送信するようにしたものである。
【発明の効果】
【００１５】
この発明によれば、ＲＦＩＤリーダライタからコマンド信号をＲＦＩＤタグに送信し、ＲＦＩＤリーダライタからコマンド信号が発生してから終了するまでの期間を経過した後に給電波信号をＲＦＩＤタグに送信するため、ＲＦＩＤタグからＲＦＩＤリーダライタに応答信号を送信するに際してＲＦＩＤタグは十分な充電を得ることができるという効果を奏する。
【発明を実施するための最良の形態】
【００１６】
以下、この発明に係るＲＦＩＤシステムの実施の形態について、図面を参照しながら説明する。
【００１７】
実施の形態１．
図１はこの発明によるＲＦＩＤシステムに係る実施の形態１を示すシステム構成図、図２は実施の形態１におけるＲＦＩＤリーダライタ（以下、照合端末ともいう。）の構成を示すブロック図、図３は照合端末の動作を示すタイミングチャート、図４は実施の形態１におけるＲＦＩＤタグ（以下、情報担体ともいう。）の構成を示すブロック図、図５は情報端末の動作を示すタイミングチャートである。
【００１８】
この発明に係る実施の形態１のＲＦＩＤシステムは、物流管理システム、金融における銀行カードシステム、交通における乗車カードシステム、ビルなどの入退管理システムなどに応用される。この実施の形態１のＲＦＩＤシステムは、図１に示すように、ネットワーク１０と、照合端末（ＲＦＩＤリーダライタ）２０と、情報担体（ＲＦＩＤタグ）群３０とを含んでいる。情報担体群３０は、複数の情報担体３１、３２、・・・、３ｎを含むものとする。
【００１９】
ネットワーク１０は、同軸ケーブル１１を用いて照合端末２０に接続される。ネットワーク１０は、同軸ケーブル１１を通じて照合端末２０へ制御信号ＣＳと直流電圧ＶＢを供給し、照合端末２０は、同軸ケーブル１１を通じてネットワーク１０へ読取出力ＯＳを供給する。
【００２０】
制御信号ＣＳは、照合端末２０に対する起動信号ＳＳと、特定の情報担体、例えば情報担体３１を指定するコマンド制御信号ＣＣと、給電制御信号ＶＣとを含む。起動信号ＳＳは照合端末２０を起動する信号であり、コマンド制御信号ＣＣは照合端末２０において照合信号ＳＱを発生させる。また給電制御信号ＶＣは、照合端末２０から情報担体群３０への給電波ＶＷの発生を制御する。読取出力ＯＳは、指定された情報担体３１からの応答信号ＳＲを照合端末２０において復調することにより得られる。
【００２１】
照合信号ＳＱは、第１周波数ｆ１の局部発振信号Ｓ０を用いて作られる。この照合信号ＳＱは、コマンド信号ＳＣと搬送波信号ＣＷを含む。コマンド信号ＳＣは情報担体群３０のうち特定の情報担体、例えば、情報担体３１を指定する信号であり、局部発振信号Ｓ０をコマンド制御信号ＣＣに応じて、例えばＡＳＫ変調して作られる。搬送波信号ＣＷは、コマンド信号ＳＣに続いて発生される連続波であり、局部発振信号Ｓ０を変調せずに、そのまま送信する。
【００２２】
応答信号ＳＲは、指定された情報担体、例えば情報担体３１が、照合端末２０から受信した搬送波信号ＣＷを、その情報担体３１の付属対象の関連情報ＩＲに基づいてＡＳＫ変調することにより作られる。この応答信号ＳＲは、指定された情報担体、例えば情報担体３１の付属対象の関連情報ＩＲを含むので、この応答信号ＳＲを照合端末２０において復調することにより、照合端末２０において、その付属対象の関連情報ＩＲを得ることができる。この付属対象の関連情報ＩＲが読取出力ＯＳとしてネットワーク１０に供給される。
【００２３】
複数の情報担体３１、３２、・・・、３ｎは、それぞれ対応する物品、カード、人に付属せられ、この付属対象の関連情報ＩＲを記憶する。照合端末２０は、コマンド信号ＳＣにより指定された情報担体、例えば情報担体３１の付属対象の関連情報ＩＲを読取る。
【００２４】
図２において、照合端末２０は、制御回路２０１と、照合信号送信部２０２と、応答信号受信部２０３と、局部発振器２０４と、サーキュレータ２０５と、電力送信部２０６と、第１アンテナ２０７と、第２アンテナ２０８とを有する。制御回路２０１は、同軸ケーブル１１を介してネットワーク１０に接続される。この制御回路２０１は、ネットワーク１０からの直流電圧ＶＢと制御信号ＣＳを受ける。直流電圧ＶＢは、照合端末２０の各部に供給される。制御信号ＣＳに含まれる起動信号ＳＳは、照合端末２０を起動し、コマンド制御信号ＣＣはＡＳＫ変調信号として照合信号送信部２０２に供給され、また給電制御信号ＶＣは電力送信部２０６に供給される。
【００２５】
照合信号送信部２０２は、制御回路２０１と局部発振器２０４とサーキュレータ２０５とに接続される。制御回路２０１からはコマンド制御信号ＣＣが供給され、局部発振器２０４からは第１周波数ｆ１の局部発振信号Ｓ０が供給される。照合信号送信部２０２は、コマンド信号ＣＳと搬送波信号ＣＷを含む照合信号ＳＱを発生する。コマンド信号ＣＳは第１周波数ｆ１の局部発振信号Ｓ０を、コマンド制御信号ＣＣによりＡＳＫ変調したものである。搬送波信号ＣＷは、局部発振信号Ｓ０を変調することなく、そのまま発信する。搬送波信号ＣＷはコマンド信号ＣＳに続いて発生され、これらのコマンド信号ＣＳと搬送波信号ＣＷがサーキュレータ２０５に供給される。サーキュレータ２０５は照合信号ＳＱを第１アンテナ２０７へ供給する。
【００２６】
第１周波数ｆ１は、例えば９５０ＭＨｚの周波数が用いられる。したがって、照合信号ＳＱは、この第１周波数、すなわち９５０ＭＨｚの第１周波数を用いた信号である。コマンド信号ＣＳは、この第１周波数のＡＳＫ変調信号であり、搬送波信号ＣＷは第１周波数の連続波である。
【００２７】
応答信号受信部２０３は制御回路２０１とサーキュレータ２０５との間に接続され、局部発振器２０４から第１周波数ｆ１の局部発振信号Ｓ０を受ける。応答信号ＳＲは、第１アンテナ２０７で受信され、サーキュレータ２０５により応答信号受信部２０３に供給される。応答信号ＳＲは、搬送波信号ＣＷを指定された特定の情報担体、例えば情報担体３１の付属対象の関連情報ＩＲでＡＳＫ変調したものであり、第１周波数ｆ１の局部発振信号Ｓ０でこの応答信号ＳＲを復調することにより、その情報担体３１の付属対象の関連情報ＩＲが復調出力として得られる。この復調出力は、制御回路２０１に供給され、読取出力ＯＳとして、同軸ケーブル１１を介してネットワーク１０に供給される。
【００２８】
電力送信部２０６は制御回路２０１と第２アンテナ２０８の間に接続される。この電力送信部２０６は制御回路２０１から給電波制御信号ＶＣの供給を受ける。この電力送信部２０６は、第２周波数ｆ２の第２局部発振器を内蔵しており、この第２局部発振器は第２周波数ｆ２の局部発振信号を発生する。電力送信部２０６は、給電波制御信号ＶＣに基づき、この第２周波数ｆ２の給電波ＶＷを発生する。この給電波ＶＷは、先行給電波ＶＷ１と、後続給電波ＶＷ２とを含み、この給電波ＶＷが第２アンテナ２０８から送信される。この給電波ＶＷの第２周波数ｆ２には、例えば２．４ＧＨｚの周波数が使用される。
【００２９】
図３は照合端末２０の動作を示すタイミングチャートである。図３（ａ）は、照合端末２０から情報担体群３０に向けて送信される照合信号ＳＱを示し、図３（ｂ）は情報担体群３０の中の指定された特定の情報担体、例えば情報担体３１からの応答信号ＳＲを示し、さらに図３（ｃ）は照合端末２０から情報担体群３０に向けて送信される給電波ＶＷを
示す。
【００３０】
図３の横軸は時間軸であり、３つの連続する期間Ｔ１、Ｔ２、Ｔ３が示される。期間Ｔ１の開始時点をｔ１、期間Ｔ２の開始時点をｔ２、期間Ｔ３の開始時点をｔ３、期間Ｔ３の終了時点をｔ４とする。期間Ｔ２の開始時点ｔ２は期間Ｔ１の終了時点と一致し、また期間Ｔ３の開始時点ｔ３は期間Ｔ２の終了時点と一致する。
【００３１】
照合信号ＳＱのコマンド信号ＣＳは、図３（ａ）に示すように、期間Ｔ２の開始時点ｔ２から送信が開始され、期間Ｔ３の開始時点ｔ３でその送信が終了する。照合信号ＳＱの搬送波信号ＣＷは、コマンド信号ＣＳの終了に伴い、期間Ｔ３の開始時点ｔ３からその送信が開始され、期間Ｔ３の終了時点ｔ４でその送信が終了する。
【００３２】
応答信号ＳＲは、指定された例えば情報担体３１からの応答信号であり、搬送波信号ＣＷをＡＳＫ変調したものであるので、図３（ｂ）に示すように、期間Ｔ３において、期間Ｔ３の開始時点ｔ３から所定時間ｔｒだけ遅れた時点から受信が開始される。この応答信号ＳＲの受信は、期間Ｔ３の終了時点ｔ４で終了する。
【００３３】
給電波ＶＷの先行給電波ＶＷ１は、図３（ｃ）に示すように、期間Ｔ１の開始時点ｔ１から送信が開始され、この先行給電波ＶＷ１は、期間Ｔ２の開始時点ｔ２よりも所定時間ｔｖ１だけ先行する時点で、その送信が終了される。言い換えれば、コマンド信号ＣＳは、先行給電波ＶＷ１の終了時点の後に送信が開始される。先行給電波ＶＷ１とコマンド信号ＣＳはともにハイパワーで照合端末２０から放射され、それらが重なれば、それらの差の周波数ｆ２−ｆ１が他の通信機器、例えばＰＨＳ携帯電話などに妨害を与える恐れがあるが、この所定時間ｔｖ１により、先行給電波ＶＷ１がコマンド信号ＣＳと重なることはなく、妨害を与えることはない。
【００３４】
給電波ＶＷの後続給電波ＶＷ２は、図３（ｃ）に示すように、期間Ｔ３の開始時点ｔ３よりも所定時間ｔｖ２だけ遅れた時点から送信が開始される。言い換えれば、コマンド信号ＣＳの送信が終了した後に、この後続給電波ＶＷ２の送信が開始される。この後続給電波ＶＷ２もハイパワーであるが、この所定時間ｔｖ２により、この後続給電波ＶＷ２がコマンド信号ＣＳと重なることはなく、後続給電波ＶＷ２とコマンド信号ＣＳとの重なった場合に、それらの差の周波数ｆ２−ｆ１が他の他の通信機器への妨害を与えることもない。
【００３５】
この後続給電波ＶＷ２は、期間Ｔ３の終了時点ｔ３でその送信が終了される。所定時間ｔｖ２は、所定時間ｔｒよりも少し長いので、この後続給電波ＶＷ２は、搬送波信号ＣＷと重なり、また応答信号ＳＲとも重なる。しかし、後続給電波ＶＷ２と搬送波信号ＣＷとは周波数が相違するものの、ともに連続波であるので、それらの差の周波数ｆ２−ｆ１による他の通信機器への妨害はなく、また応答信号ＳＲは搬送波信号ＣＷに比べて減衰しているので、それらの差の周波数ｆ２−ｆ１が他の通信機器へ妨害を与える問題もない。
【００３６】
図４は実施の形態１における１つの情報担体、例えば情報担体３１の構成を示すが、すべての情報担体３１、３２、・・・、３ｎが、この図４のように構成される。各情報担体３１、３２、・・・、３ｎは、それぞれ図４に示すように、第３アンテナ３０１と、第４アンテナ３０２と、制御スイッチ３０３と、照合信号受信部３０４と、制御回路３０５と、給電波受信部３０６とを有する。
【００３７】
スイッチ３０３はスイッチａとスイッチｂを切換える切換スイッチである。この切換スイッチ３０３のスイッチａは、第３アンテナ３０１と照合信号受信部３０４とを接続する。切換スイッチ３０３のスイッチｂは、第３アンテナ３０１と基準電位（アース）とを接
続する。スイッチａの出力点Ａは照合信号受信部３０４に接続されるが、出力点Ａの受信部３０３側は照合信号ＳＱの第１周波数ｆ１に対してインピーダンス整合されて、無反射終端回路となっている。
【００３８】
照合信号受信部３０４は、応答信号ＳＱのコマンド信号ＣＳを復調し、このコマンド信号ＣＳの復調出力は制御回路３０５に供給される。
【００３９】
制御回路３０５は、付属対象の関連情報を記憶する記憶したメモリと、このメモリを動作させる電源キャパシタを含む。このメモリに記憶された付属対象の関連情報ＩＲの特定の部分、例えばそのヘッド部分とコマンド信号ＣＳの復調出力が対比され、それらが一致した場合に、それぞれの情報担体は、照合信号ＳＱにより呼び出されたことを認識する。照合信号ＳＱは、情報担体群３０に向けて送信されるが、記憶した関連情報のヘッド部分と、受信したコマンド信号ＣＳの復調出力とが一致した情報担体、例えば情報担体３１が呼び出されたことを認識する。
【００４０】
制御回路３０５に含まれる電源キャパシタは、給電波受信部３０６により充電され、前記付属対象の関連情報ＩＲを記憶するメモリに動作電圧を供給する。呼び出しを認識した情報担体、例えば情報担体３１はコマンド信号ＣＳに続く搬送波信号ＣＷに基づき、付属対象の関連情報ＩＲを応答信号ＳＲとして返信する。この応答信号ＳＲは、搬送波信号ＣＷをＡＳＫ変調した信号である。具体的には、メモリに記憶された付属対象の関連情報ＩＲをメモリから読み出し、それに応じて切換スイッチ３０３を切換える。搬送波信号ＣＷは、スイッチａに切換えられたときには、無反射状態で終端されるが、スイッチｂに切換えられると、搬送波信号ＣＷの反射波が第３アンテナ３０１から返信される。
【００４１】
図５は情報担体の動作を示すタイミングチャートである。図５（ａ）は受信される照合信号ＳＱを示し、図５（ｂ）は応答信号ＳＲを示し、図５（ｃ）は受信される給電波ＶＷを示し、図５（ｄ）は電源キャパシタの充電電圧ＶＣを示す。
【００４２】
図５の横軸も時間軸であり、図３と同じ３つの連続する期間Ｔ１、Ｔ２、Ｔ３が示される。図３と同じに、期間Ｔ１の開始時点をｔ１、期間Ｔ２の開始時点をｔ２、期間Ｔ３の開始時点をｔ３、期間Ｔ３の終了時点をｔ４とする。期間Ｔ２の開始時点ｔ２は期間Ｔ１の終了時点と一致し、また期間Ｔ３の開始時点ｔ３は期間Ｔ２の終了時点と一致する。
【００４３】
図５（ａ）（ｂ）（ｃ）に示す照合信号ＳＱ、応答信号ＳＲ、および給電波ＶＷの開始時点、および終了時点は、それぞれ図３（ａ）（ｂ）（ｃ）に示した信号と同じ時点である。各情報担体３１、３２、・・・、３ｎの制御回路３０５に含まれる電源キャパシタは、給電波ＶＷにより充電され、図５（ｄ）に示すように変化する。なお、実施の形態１では、この電源キャパシタは、照合信号ＳＱによっては充電されることはない。
【００４４】
電源キャパシタの充電電圧ＶＣは、図５（ｄ）に示すように、期間Ｔ１において、先行給電波ＶＷ１により上昇し、この先行給電波ＶＷ１の終了後は次第に低下する。この電源キャパシタの充電電圧の低下は期間Ｔ２において継続し、期間Ｔ３のおいて、後続給電波ＶＷ２の送信開始とともに再び上昇する。期間Ｔ３の開始時点ｔ３において、充分な充電電圧を持つようにすることにより、とくに応答信号ＳＲの返信時に充分な充電電圧を確保することができる。
【００４５】
期間Ｔ１の長さは、期間Ｔ２の長さと無関係に設定できる。この期間Ｔ１の長さを、期間Ｔ２の長さよりも長くすることは容易であり、Ｔ１＞Ｔ２に設定することにより、期間Ｔ３の開始時点ｔ３における充電電圧を、より大きくすることができ、とくに応答信号の返信時に充分な充電電圧ＶＣを確保することができる。
【００４６】
以上説明した実施の形態１では、照合端末２０が特定の情報担体を指定するコマンド信号ＳＣと、これに続く搬送波信号ＣＷとを第１周波数ｆ１を用いて送信するとともに、第２周波数ｆ２を用いて先行給電波ＶＷ１と後続給電波ＶＷ２とを送信するので、より大きな電源を情報担体に送信することができる。加えて、先行給電波ＶＷ１はコマンド信号ＳＣに先行して送信され、コマンド信号ＳＣは先行給電波ＶＷ１の終了時点の後に送信が開始され、また後続給電波ＶＷ２はコマンド信号ＳＣの終了時点の後に送信が開始されるので、先行給電波ＶＷ１および後続給電波ＶＷ２とコマンド信号ＳＣとの差の周波数が、周りの他の通信機器に妨害を与えることもない。
【産業上の利用可能性】
【００４７】
この発明によるＲＦＩＤシステムは、物流管理システム、金融における銀行カードシステム、交通における乗車カードシステム、ビルなどの入退管理システムなどに応用される。
【図面の簡単な説明】
【００４８】
【図１】この発明によるＲＦＩＤシステムの実施の形態１を示すシステム構成図である。
【図２】実施の形態１における照合端末（ＲＦＩＤリーダライタ）の構成を示すブロック図である。
【図３】実施の形態１における照合端末の動作を示すタイミングチャート図である。
【図４】実施の形態１における情報担体（ＲＦＩＤタグ）の構成を示すブロック図である。
【図５】実施の形態１における情報担体の動作を示すタイミングチャート図である。
【符号の説明】
【００４９】
１０：ネットワーク、１１：同軸ケーブル、２０：照合端末（ＲＦＩＤリーダライタ）、２０１：第１制御回路、２０２：照合信号送信部、２０３：局部発振器、
２０４：サーキュレータ、２０５：応答信号受信部、２０６：給電波送信部、
２０７：第１アンテナ、２０８：第２アンテナ、
３０：情報担体（ＲＦＩＤタグ）群、
３１、３２、・・・、３ｎ：情報担体（ＲＦＩＤタグ）、
３０１：第３アンテナ、３０２：第４アンテナ、３０３：切換スイッチ、
３０４：照合信号受信部、３０５：第２制御回路、３０７：給電波受信部。
【図１】
2007164801.tif 000003
【図２】
2007164801.tif 000004
【図３】
2007164801.tif 000005
【図４】
2007164801.tif 000006
【図５】
2007164801.tif 000007